(57)【要約】【課題】本発明は、繰り返し実行されるように設定された予約を一定期間無効にさせたい時は、その予約を消去するなどして一旦無効にし、再度有効にしたい時は再設定しなければならないという問題点を解決することができる記録装置の予約システムを提供することを目的とする。【解決手段】ユーザーが予約を設定する際に、設定できる項目として、予約を有効にするかどうかの設定「ＯＮ／ＯＦＦ設定」と、予約を無効（ＯＦＦ）に設定した際にどれだけの期間無効にするかを設定する「ＯＦＦ期間設定」を各予約に備えることにより、繰り返し実行される予約を消去することなく一定期間、無効にさせることができる。【選択図】図４
2005341108.tif 000002
【特許請求の範囲】
【請求項１】
設定されている予約を無効にする無効手段と、予約を無効にする期間を設定する設定手段を備え、繰り返し予約を消去することなく、前記設定手段で設定した期間の予約を無効にし、前記設定手段で設定した期間の経過後に自動的に有効な予約に復帰させることを特徴とする記録装置。
【請求項２】
設定されている予約を無効にする無効手段と、予約を無効にする期間を設定する設定手段を備え、繰り返し予約を消去することなく、前記設定手段で設定した期間の予約を無効にし、前記設定手段で設定した期間の経過後に自動的に有効な予約に復帰させることを特徴とする記録装置の予約方法。
【発明の詳細な説明】
【技術分野】
【０００１】
本発明は、繰り返し実行される予約を消去することなく一定期間、無効にさせることができることを特徴とする記録装置及び記録装置の予約方法に関するものである。
【背景技術】
【０００２】
近年、毎週放送される番組を予約録画するために繰り返し実行させるように予約設定することが多いが、特別番組等の多種多様の放送により、予約は設定していても一定期間だけ別の番組を録画できるようにすることが期待されている。
【０００３】
以下に従来の記録装置の予約システムについて説明する。従来の記録装置の予約システムによる、予約登録と実行の構成を、図５、図６に示す。２１０はユーザーの操作を受ける操作部、２２０は設定された予約を管理する予約管理部、２３０は予約の実行を制御する予約制御部、２３１は予約管理部２２０の持つ予約情報から予約時刻を参照して、予約を実行する時間帯であるかどうかを予約制御部２３０に通知する予約時刻管理部、２４０は記録の対象となるメディア、２５０はメディア２４０に情報を記録する記録部、２６０は記録部２５０を制御する記録制御部である。
【０００４】
以上のように構成された従来の記録装置の予約システムについて、以下その動作について説明する。図５において、ユーザーが操作部２１０を用いて、予約管理部２２０に予約を登録する。予約管理部２２０に登録された予約の情報は予約時刻管理部２３１を含む予約制御部２３０によって参照され、予約時刻管理部２３１がある予約を実行する時間帯であることを検知すると、予約制御部２３０が記録制御部２６０に記録の命令を発し、記録制御部２６０は記録部２５０にメディア２４０への情報の記録を開始させる。
【０００５】
しかしながら上記の従来の構成では、図５の予約ｂを無効にしたい時、図６のように予約ｂを消去する必要があり、再度予約ｂを有効にしたい時は、新たに予約ｂを再設定する必要があるという問題点を有していた。
【０００６】
なお、関連する文献として以下のものがある（例えば、特許文献１参照。）。
【特許文献１】特開平１１−３５５７０３号公報
【発明の開示】
【発明が解決しようとする課題】
【０００７】
繰り返し実行されるように設定された予約を一定期間無効にさせたい時は、その予約を消去するなどして一旦無効にし、再度有効にしたい時は再設定しなければならず、再度有効に戻すことを忘れてしまう点である。また、予定されている未来の（例えば数週間後）連続番組を予約する際、あらかじめ繰り返し予約を設定しておくと、番組放送開始までの不要な番組（例えば数週間分）を余計に記録してしまう点である。
【課題を解決するための手段】
【０００８】
ユーザーが予約を設定する際に、設定できる項目として、予約を有効にするかどうかの設定「ＯＮ／ＯＦＦ設定」と、予約を無効（ＯＦＦ）に設定した際にどれだけの期間無効にするかを設定する「ＯＦＦ期間設定」を各予約に備えることにより、繰り返し実行される予約を消去することなく一定期間、無効にさせることができる。すなわち、設定された予約に対して、予約を無効（ＯＦＦ）にする期間の設定を設け、この設定値を参照し、ＯＦＦ期間が終了すれば自動的に有効に戻るＯＦＦ期間管理部を備える。こうすることによって、一定の無効期間を設定でき、無効期間終了後自動的に有効になり、あらかじめ分かっている不要な番組だけを無効にできる。
【発明の効果】
【０００９】
本発明の予約システムでは、繰り返し予約を消去することなく無効にでき、一定期間後に自動的に有効に復帰できるという優れた効果がある。また、予定されている未来の（例えば数週間後）連続番組を予約する際、放送開始までの期間を無効に設定された予約を登録しておくと、番組放送開始までの不要な番組（例えば数週間分）を余計に記録することなく、あらかじめ予約を登録することができるという優れた効果もある。
【発明を実施するための最良の形態】
【００１０】
（実施の形態）
以下、本発明の実施の形態について、図１、図２を用いて説明する。図１、図２は本発明における記録装置の予約システムの、予約登録と実行の構成図であり、図１、図２において、１１０はユーザーの操作を受ける操作部、１２０は設定された予約を管理する予約管理部、１３０は予約の実行を制御する予約制御部、１３１は予約管理部１２０の持つ予約情報から予約時刻を参照して、予約を実行する時間帯であるかどうかを予約制御部１３０に通知する予約時刻管理部、１３２は予約管理部１２０の持つ予約情報からＯＦＦ期間設定を参照し、予約の「ＯＮ／ＯＦＦ設定」ＯＮであるかどうかを予約制御部１３０に通知するＯＦＦ期間管理部、１４０は記録の対象となるメディア、１５０はメディア１４０に情報を記録する記録部、１６０は記録部１５０を制御する記録制御部である。
【００１１】
以上のように構成された記録装置の予約システムについて、図１、図２を用いてその動作を説明する。図１において、ユーザーが操作部１１０を用いて、予約管理部１２０に予約を登録する。予約管理部１２０に登録された予約の情報は予約時刻管理部１３１とＯＦＦ期間管理部１３２を含む予約制御部１３０によって参照され、予約時刻管理部１３１がある予約を実行する時間帯であることを検知し、かつ予約ＯＦＦ期間管理部１３２がその予約の「ＯＮ／ＯＦＦ設定」がＯＮであることを検知すると、予約制御部１３０が記録制御部１６０に記録の命令を発し、記録制御部１６０は記録部１５０にメディア１４０への情報の記録を開始させる。
【００１２】
また、図２に示すように、予約時刻管理部１３１がある予約を実行する時間帯であることを検知しても、ＯＦＦ期間管理部１３２が予約の「ＯＮ／ＯＦＦ設定」がＯＮでないことを検知すると、予約制御部１３０は記録制御部１６０に記録の命令を発せず、記録制御部１６０は情報の記録を開始しないので、「ＯＮ／ＯＦＦ設定」がＯＦＦに設定されている予約は消去されることなく無効になる。
【００１３】
ここで、「ＯＮ／ＯＦＦ設定」が「ＯＦＦ期間設定」を含んでＯＦＦに設定されているある予約について、ＯＦＦ期間管理部１３２が「ＯＦＦ期間設定」で設定された期間が終了したことを検知すると、ＯＦＦ期間管理部は予約制御部１３０に予約管理部１２０の予約情報を操作させ、予約の「ＯＮ／ＯＦＦ設定」をユーザー操作なしに“ＯＮ”に切り換える。
【００１４】
以上のように本実施の形態によれば、設定されたそれぞれの予約情報にユーザーが設定できる項目として、「ＯＮ／ＯＦＦの設定値」とＯＦＦに設定した際の「ＯＦＦ期間情報」を備えることにより、繰り返し実行される予約を消去することなく一定期間、無効にさせることができる。
【００１５】
図３の実施例は、予約一覧画面を表すＧＵＩ（グラフィカルユーザーインターフェース）上での予約登録の方法を説明しており、それぞれの予約はＯＮ／ＯＦＦ設定値と予約内容で構成されている。ある予約（図３では予約ｂ）が選択されている状態でリモコンのＯＮ／ＯＦＦ切り換えボタンを押されると、ＯＮ／ＯＦＦ設定値が「ＯＮ」「ＯＦＦ」「期間付きＯＦＦ」がトグルで切り替わり、無効である時、つまり「ＯＦＦ」もしくは「期間付きＯＦＦ」の時に予約内容の部分が灰色になって無効であることを示す。設定値が「期間付きＯＦＦ」になっている場合、カーソルの左右ボタンでＯＦＦ期間として無効にする回数を設定することができる（図３下部の例では、回数として“１”が設定される）。ＯＦＦ期間が設定された場合、予約時間が経過する度にカウントが減っていき、やがて無効にする回数が０（ゼロ）になると自動的に有効（ＯＮ）に切り替わる。
【００１６】
図４の実施例は、実施する際の動作分岐を説明したフロー図である。ＯＮ／ＯＦＦ設定が「ＯＦＦ」もしくは「期間付きＯＦＦ」に設定されている予約の開始時刻になった時、図４の「予約録画開始時のフロー」のように、ＯＮ／ＯＦＦ設定が「ＯＮ」であるかどうかを判別する分岐４０１で”Ｎｏ”の方向に遷移し、処理４０２で予約録画停止することにより、ＯＮ／ＯＦＦ設定を導入することによって予約録画を開始しない動作を実現する。また、「期間付ＯＦＦ」に設定されている予約の終了時刻がすぎた時、図４の「予約録画終了時のフロー」のように、ＯＮ／ＯＦＦ設定が「ＯＮ」であるかどうかを判別する分岐４０３で”Ｎｏ”の方向に遷移し、ＯＮ／ＯＦＦ設定が「期間付ＯＦＦ」であるかどうかを判別する分岐４０４で”Ｙｅｓ”の方向に遷移する。次に、処理４０５で設定されているＯＦＦ期間を１減らした後、ＯＦＦ期間が０（ゼロ）になったかどうかを判別する分岐４０６に遷移する。ここでまだゼロになっていない場合は、”Ｎｏ”の方向に遷移し、次回の予約録画開始時も「予約録画開始時のフロー」の分岐４０１で”Ｎｏ”の方向に遷移して予約録画を開始しない。一方、「予約録画終了時のフロー」の処理４０５でＯＦＦ期間を１減らした結果、ＯＦＦ期間がゼロになった場合は、分岐４０６で”Ｙｅｓ”の方向に遷移し、処理４０７でＯＮ／ＯＦＦ設定が「期間付ＯＦＦ」から「ＯＮ」に自動的に切り替わる。こうすることによって、次回の予約録画開始時も「予約録画開始時のフロー」の分岐４０１で”Ｙｅｓ”の方向に遷移し、処理４０８で予約録画実行を行い予約録画が開始され、繰り返し実行される予約を消去することなく一定期間、無効にさせることができる。
【産業上の利用可能性】
【００１７】
本発明の予約システムでは、繰り返し予約を消去することなく無効にでき、一定期間後に自動的に有効に復帰できる。また、予定されている未来の（例えば数週間後）連続番組を予約する際、放送開始までの期間を無効に設定された予約を登録しておくと、番組放送開始までの不要な番組（例えば数週間分）を余計に記録することなく、あらかじめ予約を登録することができる。
【図面の簡単な説明】
【００１８】
【図１】本発明の実施の形態に於ける予約方法を示した説明図
【図２】本発明の実施の形態に於ける予約を一定期間無効にする方法を示した説明図
【図３】本発明の実施例を示した説明図
【図４】本発明の実施例に基づくフロー図
【図５】従来の予約方法を示した説明図
【図６】従来の予約を無効にする方法を示した説明図
【符号の説明】
【００１９】
１０    操作部
２０    予約管理部
３０    予約制御部
３１    予約時刻管理部
３２    ＯＦＦ期間管理部
４０    メディア
５０    記録部
６０    記録制御部
【図１】
2005341108.tif 000003
【図２】
2005341108.tif 000004
【図３】
2005341108.tif 000005
【図４】
2005341108.tif 000006
【図５】
2005341108.tif 000007
【図６】
2005341108.tif 000008